(57)【要約】【課題】  従来、ペレットストーブなどの輻射放熱型ストーブを屋内の壁際に設置する場合、消防法上により床や壁を不燃化する大掛かりな工事が義務つけられており、この床や壁の不燃化工事は、膨大な工事費用と工事期間を要する上に、不燃化工事のミスによる失火が頻発していた。  本発明は、可燃物である壁や床などの不燃化工事を施すことなく輻射放熱型燃焼具を設置できる防火壁・防火床装置を提供するものである。  【解決手段】  本発明の防火壁・防火床装置は、輻射放熱型燃焼具１０を載置し、不燃物でつくられ、内部に空間６ａを備え、建造物の床上に設置される防火床６と、該防火床６の所望の位置に立設され、不燃物でつくられ、前記防火床６の空間６ａと連通する空間７ａを内部に備えた防火壁７と、を有することを特徴とする。【選択図】  図１
2008224075.tif 000002
【特許請求の範囲】
【請求項１】
輻射放熱型燃焼具を載置し、不燃材あるいは難燃材でつくられ、内部に空間を備え、建造物の床上に設置される防火床と、
該防火床の所望の位置に立設され、不燃材あるいは難燃材でつくられ、前記防火床の空間と連通する空間を内部に備えた防火壁と、
を有することを特徴とする防火壁・防火床装置。
【請求項２】
前記輻射放熱型燃焼具の内部に形成された燃焼室に連結される外気供給手段を有することを特徴とする請求項１に記載の防火壁・防火床装置。
【請求項３】
前記外気供給手段が、防火床及び／又は防火壁の内部の空間に連通され、該外気供給手段から供給される吸気が、防火床及び／又は防火壁の空間を通って輻射放熱型燃焼具内部の燃焼室に供給されることを特徴とする請求項１または２に記載の防火壁・防火床装置。
【請求項４】
前記輻射放熱型燃焼具の内部の燃焼室に連結され、燃焼部内で燃焼した燃料から発生した燃焼ガスを屋外に放出し、先端部が建造物の外部に突出している燃焼ガス放出手段を有することを特徴とする請求項１ないし３のうち１項に記載の防火壁・防火床装置。
【請求項５】
前記燃焼ガス放出手段の中間部が、前記防火壁内の空間内を経由し、燃焼ガス放出手段の先端部が、前記外気供給手段の先端部内を通っていることを特徴とする請求項１ないし４のうち１項に記載の防火壁・防火床装置。
【請求項６】
前記輻射放熱型燃焼具で燃焼される植物由来の小塊あるいは粉粒体からなる燃料を収納し、底面に傾斜壁を有し、底部が開口した収納庫と、
該収納庫の開口下に取付けられ、収納庫の開口から落下する燃料を受入れ、輻射放熱型燃焼具内の燃焼室に搬送し、動力により作動する搬送手段と、
を備えていることを特徴とする請求項１ないし５のうち１項に記載の燃料供給装置。
【請求項７】
前記搬送手段が、  該収納庫の開口下に取付けられ、収納庫の開口から落下する燃料を受入れ所定方向に搬送し、動力により作動する第１の搬送手段と、
該第１の搬送手段から搬出された燃料を受入れ、前記輻射放熱型燃焼具内部の燃焼室に搬送し、動力により作動する第２の搬送手段と、
からなることを特徴とする請求項１ないし６のうち１項に記載の燃料供給装置。
【請求項８】
前記第１及び第２の搬送手段が、スクリューコンベアあるいはコイルコンベアーであることを特徴とする請求項６または７に記載の燃料供給装置。
【請求項９】
前記防火床上に載置する輻射放熱型燃焼具を有していることを特徴とする請求項１ないし８のうち１項に記載の燃料供給装置付燃焼装置。
【発明の詳細な説明】
【技術分野】
【０００１】
本発明は、防火壁・防火床装置、燃料供給装置、および、燃料供給装置付燃焼装置に関する。
【背景技術】
【０００２】
従来、ストーブの排気筒を二重管排気筒とし、建造物の壁や屋根を貫通させる技術はあった。この技術は、高温の排気から壁や屋根の防火対策として取られたものであり、二重管排気筒とすることにより排気と屋根や壁との間に空間という断熱層を介在させるという防火対策であった。また、ペレットストーブや固形燃料ストーブなどの輻射放熱型ストーブで排気筒を二重管排気筒としたものとして特許文献１（特開２００１−２７２０２６）の強制給排気式固体燃料ストーブがあった。この強制給排気式固体燃料ストーブは「固体燃料を燃焼させるストーブ本体と、屋外の外気を給気管で給気し、ストーブ本体からの排気ガスを排気管で排気するための二重管給排気筒と、外気を給気管を通じてストーブ本体へ燃焼用の供給空気として給気する送風機と、これら二重管給排気筒と送風機との間に設けられ、ストーブ本体へ給気される供給空気の一部を排気管へと還流させる還流管路と、この還流管路中に設けられ、排気管へ向かう供給空気の流れにストーブ本体からの排気ガスを吸引合流させるエジェクタとを備える」ものである。この固体燃料ストーブは、「……ストーブ本体へ給気される供給空気の一部を排気管へと還流させる還流管路……」とあるように、「供給空気の一部を排気管へと還流させ」供給空気の一部とストーブ本体からの排気ガスとが、一緒になって「排気管を通ってその排出口から屋外へ強制排気される」ものである。この二重管給排気筒は、排気が高温のまま壁を貫通すると、火災を発生する危険が高いので、エジェクタにより排気ガスと吸気を合流混合することで排気の壁貫通時の温度を低下させるものである。
【０００３】
また、この不均一な形状の薪を微粉砕してほぼ均一な形状に固形化し、ペレット状にすることにより自動供給可能したペレットストーブがある。この木質系ペレットを燃料とし自動供給するペレットストーブとして次のような特許出願があった。特許文献２（特開２００６−００３０３２）、特許文献３（特開２００５−０６１７１３）、特許文献４（特開２００４−３０９１１０）、特許文献５（特開２００４−１３８２５７）、特許文献６（特開２００４−１３８２５６）などがあった。これらの特許出願は、何れもペレット燃料を保管する収納庫とペレット燃料を燃焼させる燃焼部が、防火壁により完全に区画された一体型のペレットストーブである。
【特許文献１】特開２００１−２７２０２６号文献
【特許文献２】特開２００６−００３０３２号文献
【特許文献３】特開２００５−０６１７１３号文献
【特許文献４】特開２００４−３０９１１０号文献
【特許文献５】特開２００４−１３８２５７号文献
【特許文献６】特開２００４−１３８２５６号文献
【発明の開示】
【発明が解決しようとする課題】
【０００４】
上記のような輻射放熱型ストーブを屋内に設置する場合、消防法上の様々な規制がある。この消防法上の規制により、輻射放熱型ストーブの燃焼部と、可燃物である床・壁・その他の付属物との間に所定の間隔や防火対策を施す必要があった。この消防法上の対策として輻射放熱型ストーブの下部や外周に不燃物でできた脚、台あるいは防火壁を設置したり、既存の建造物の床や壁を不燃化する大掛かりな工事が施されていた。輻射放熱型ストーブのなかでもペレットストーブの場合、燃料である木質系ペレット貯蔵用に同ペレット収納庫を一体化することによりコンベアなどの搬送手段を使ってペレットストーブの燃焼部にペレットを自動供給するものが開発されていた。しかし、燃料自動供給機能を備えたペレットストーブは、ペレット収納庫と燃焼部の間が不燃物で形成された完全な防火壁により区画されている。それでも、床や壁に高額で時間のかかる不燃化工事を施さないと輻射放熱型ストーブの設置が認められず、こうした壁や床の不燃化工事を施しても工事ミスによる火災が頻発している。
【０００５】
本発明は、以上のような現状からして、建造物の壁や床などの不燃化工事を施すことなく石炭など化石燃料を含む植物由来の小塊からなる燃料を自動供給可能な輻射放熱型燃焼具を設置できる防火壁・防火床装置、上記燃料を自動供給可能化に燃料収納庫を分離した燃料供給装置、および、上記燃料を自動供給可能化に燃料収納庫を分離した燃料供給装置付燃焼装置を提供するものである。
【課題を解決するための手段】
【０００６】
本発明の防火壁・防火床装置、燃料供給装置、及び、燃料供給装置付燃焼装置で使用する燃料は、主に古代植物である石炭すなわち化石燃料、草、木、枝、葉、根を粉砕して小さな塊である所定の形状のペレット状に再加工した植物由来の小塊からなる固形燃料を使用する。しかし、輻射放熱型燃焼具の燃焼部に外部から薪などの固形燃料を投入可能な開口部に開閉自在な扉をつけた場合には、燃料の形状を問うことなく石炭、練炭、草、木、枝、葉、根などをそのまま燃やすことができる。
【０００７】
請求項１の防火壁・防火床装置は、輻射放熱型燃焼具を載置し、不燃材あるいは難燃材でつくられ、内部に空間を備え、建造物の床上に設置される防火床と、該防火床の所望の位置に立設され、不燃材あるいは難燃材でつくられ、前記防火床の空間と連通する空間を内部に備えた防火壁と、を有することを特徴とする。
【０００８】
請求項２の防火壁・防火床装置は、前記輻射放熱型燃焼具の内部に形成された燃焼室に連結される外気供給手段を有することを特徴とする。
【０００９】
請求項３の防火壁・防火床装置は、前記外気供給手段が、防火床あるいは防火壁の内部の空間に連通され、該外気供給手段から供給される吸気が、防火床あるいは／及び防火壁の空間を通って輻射放熱型燃焼具内部の燃焼部に供給されることを特徴とする。
【００１０】
請求項４の防火壁・防火床装置は、前記輻射放熱型燃焼具の内部の燃焼部に連結され、燃焼部内で燃焼した燃料から発生した燃焼ガスを屋外に放出し、先端部が建造物の外部に突出している燃焼ガス放出手段を有することを特徴とする。
【００１１】
請求項５の防火壁・防火床装置は、前記燃焼ガス放出手段の中間部が、前記防火壁内の空間内を経由し、燃焼ガス放出手段の先端部が、前記外気供給手段の先端部内を通っていることを特徴とする。
【００１２】
請求項６の防火壁・防火床装置は、前記輻射放熱型燃焼具で燃焼される植物由来の小塊あるいは粉粒体からなる燃料を収納し、底面に傾斜壁を有し、底部が開口した収納庫と、該収納庫の開口下に取付けられ、収納庫の開口から落下する燃料を受入れ、輻射放熱型燃焼具内の燃焼部に搬送し、動力により作動する搬送手段と、を備えていることを特徴とする。
【００１３】
請求項７の燃料供給装置は、前記搬送手段が、該収納庫の開口下に取付けられ、収納庫の開口から落下する燃料を受入れ所定方向に搬送し、動力により作動する第１の搬送手段と、該第１の搬送手段から搬出された燃料を受入れ、前記輻射放熱型燃焼具内部の燃焼部に搬送し、動力により作動する第２の搬送手段と、からなることを特徴とする。
【００１４】
請求項８の燃料供給装置は、前記第１及び第２の搬送手段が、スクリューコンベアあるいはコイルコンベアーであることを特徴とする。
【００１５】
請求項９の燃料供給装置付燃焼装置は、前記防火床上に載置する燃焼具を有していることを特徴とする。
【発明の効果】
【００１６】
以下、本発明の効果を請求項ごとに記載する。請求項１の防火壁・防火床装置は、建造物の床上に設置し、薪ストーブやペレットストーブのような輻射放熱型燃焼具を載置する防火床と、該防火床の所望の位置に立設された防火壁とが、不燃材あるいは難燃材でつくられており、防火床と防火壁の内部に形成された空間が連通する空間である。この不燃材あるいは難燃材でつくられ内部に連通する空間を備えたほぼＬ型の防火壁・防火床装置は、十分な防火性能を備えているので、この防火壁・防火床装置を建造物内の壁際に置けば、高額な改造費と改築期間を要する床や壁の改築をせずに防火性能を備え安心して熱効率の高い輻射放熱型燃焼具を使用できる。この結果、この防火壁・防火床装置と任意の輻射放熱型燃焼具とを組合わせて使用することもできる。
【００１７】
請求項２の防火壁・防火床装置は、前記輻射放熱型燃焼具の内部に形成された燃焼室に連結される外気供給手段を有するから、前記請求項１の効果に加えて、輻射放熱型燃焼具の内部に外気を確実に供給でき、不完全燃焼の心配がない。
【００１８】
請求項３の防火壁・防火床装置は、前記外気供給手段が、防火床あるいは防火壁の内部の空間に連通され、該外気供給手段から供給される吸気が、防火床あるいは／及び防火壁の空間を通って輻射放熱型燃焼具内部の燃焼室に供給される。この結果、上記効果に加え、暖房され温められた屋内の空気により温められた防火壁・防火床装置内の空気により外気供給手段から供給された外気が暖められて輻射放熱型燃焼具内に供給されるから、高い燃焼温度がえられる。
【００１９】
請求項４の防火壁・防火床装置は、前記輻射放熱型燃焼具の内部の燃焼部に連結され、燃焼部内で燃焼した燃料から発生した燃焼ガスを屋外に放出し、先端部が建造物の外部に突出している燃焼ガス放出手段を有している。したがって、上記効果に加え、燃焼ガス放出手段を屋内に張巡らせることにより燃焼ガス放出手段から放出される輻射熱を一層効果的に活用して屋内の温度を効率よく暖めることができる。
【００２０】
請求項５の防火壁・防火床装置は、前記燃焼ガス放出手段の中間部が、前記防火壁内の空間内を経由し、燃焼ガス放出手段の先端部が、前記外気供給手段の先端部内を通っている。したがって、上記それぞれの効果に加え、燃焼ガス放出手段の中間部が防火壁内の空間内を経由する過程で燃焼ガス放出手段内の高温の燃焼ガスにより防火壁内の空気が温められ、さらに、防火床内の空気も温められ、これらの暖められた防火壁・防火床装置内の空気により外気供給手段から供給される吸気が、暖められて輻射放熱型燃焼具の内部の燃焼部に供給される。この結果、輻射放熱型燃焼具の内部の燃焼部の燃焼温度が高まるという好循環が得られる。
【００２１】
請求項６の燃料供給装置は、前記輻射放熱型燃焼具で燃焼される植物由来の小塊あるいは粉粒体からなる燃料を収納し、底面に傾斜壁を有し、底部が開口した収納庫と、該収納庫の開口下に取付けられ、収納庫の開口から落下する燃料を受入れ、輻射放熱型燃焼具内の燃焼部に搬送し、動力により作動する搬送手段と、を備えている。以上の構成の燃料供給装置は、収納庫内に収納した植物由来の小塊あるいは粉粒体からなる燃料を搬送手段により輻射放熱型燃焼具内の燃焼部に自動供給するものであり、収納庫と輻射放熱型燃焼具とが別体として造られている。したがって、燃焼効率の向上により例え輻射放熱型燃焼具が高温になっても収納庫内の燃料が燃える怖れがなく、安全である。また、前記断熱壁を収納庫と輻射放熱型燃焼具の間に設置すれば、収納庫と輻射放熱型燃焼具間の距離を近づけても安全であり、狭い屋内であってもコンパクトに配置することができる。
【００２２】
請求項７の燃料供給装置は、前記搬送手段が、該収納庫の開口下に取付けられ、収納庫の開口から落下する燃料を受入れ所定方向に搬送し、動力により作動する第１の搬送手段と、該第１の搬送手段から搬出された燃料を受入れ、前記輻射放熱型燃焼具内部の燃焼部に搬送し、動力により作動する第２の搬送手段と、からなる。この燃料供給装置は、前記搬送手段が、第１と第二の搬送手段となっているから、輻射放熱型燃焼具の燃焼を停止させる際、第１の搬送手段の動力を先に停止し、第二の搬送手段内の燃料を完全に輻射放熱型燃焼具内部の燃焼部に搬送した後、第二の搬送手段の動力を停止させると、収納庫と燃焼部の間に燃料が完全に途切れる。この結果、燃焼部内に火種が残っていたとしても、収納庫内の燃料に燃え移ることがないから大変安全である。
【００２３】
請求項８の燃料供給装置は、前記第１及び第２の搬送手段をスクリューコンベアあるいはコイルコンベアーとしたものであり、作用効果は、請求項７に記載の燃料供給装置と同様である。
【００２４】
請求項９の燃料供給装置付燃焼装置は、前記防火床上に載置する燃焼具を有しており、前述の請求項１ないし８に記載のそれぞれの燃料供給装置の作用効果を備えている。
【発明を実施するための最良の形態】
【００２５】
以下、本発明の第１実施例を図１の概念図を参照して説明する。本実施例は、既存の建造物の壁や床を防火壁に改造することなく、この壁の近くに燃料供給装置付燃焼装置を設置する例であり、Ｆは建造物の床を示し、Ｗは建造物の壁を示す。なお、本発明で説明する防火壁・防火床装置、燃料供給装置、燃料供給装置付燃焼装置に使用する燃料は、木質系ペレットを中心とする植物由来の固形燃料すなわち植物由来の小塊からなる燃料である。また、植物由来燃料は、主に化石燃料である石炭、草、木、枝、葉、根などを微粉砕した後再加工して所定形状の小塊すなわちペレットとしたものであるが、木や枝を破砕し、チップとしたもの、あるいは砂状のものや粉末状のものなどの粉粒体も含まれる。また、本発明で使用する燃焼具は、主に輻射放熱型燃焼具燃焼具であり、一般にペレットストーブと言われるが、従来の薪ストーブや木質系チップを燃焼させるストーブにも応用できるのみならず、脚のない輻射放熱型燃焼具燃焼具であっても良い。
【００２６】
以下、図１の概念図を参考に第１実施例を説明する。建造物の壁Ｗから離間して垂直な防火壁７を立設し、床Ｆの上には防火床６を形成する。防火壁７と防火床６とは隙間がないように、一体的に結合しておくことが望ましい。
【００２７】
防火壁７と壁Ｗとの間に、上方が開口したホッパー型の収納庫１を設置する。収納庫１内には、植物由来の燃料を収納する。収納庫１の下方には台１ａがあり、台１ａの上には、円筒状の搬送手段２がほぼ水平に載せられている。搬送手段２は内部にコイル状或いはスクリュー状のコンベア２ｂを有し、このコンベア２ｂは駆動手段２ｃにより回転可能である。収納庫１内の燃料は収納庫１の底部の斜面１ｃを滑り落ちて円筒状の搬送手段２の開口１ｂから搬送手段２内に落下する。搬送手段２のコンベア２ｂが回転すると、開口１ｂから入ってきた燃料は、搬送手段２の右側に接続された筒状の連結体４から第２搬送手段３に送り込まれる。第２の搬送手段３の筒体３ａの基部は、第１の搬送手段２の筒体２ａの端部の下に配置され、第１の搬送手段２の筒体２ａから搬出された燃料を第２の搬送手段３の筒体３ａ内のコンベア３ｂで受入れられるようになっている。
【００２８】
第２の搬送手段３も円筒状の筒体３ａ内にコイル状或いはスクリュー状のコンベア３ｂを備えたもので、駆動手段３ｃにより回転可能である。
【００２９】
第２搬送手段３は、防火壁７を貫通し、輻射放熱型燃焼具１０内の燃焼室１１に入り、先端が、円錐台形をした燃焼ポット１２に達している。図示の実施例では、輻射放熱型燃焼具１０は鋳物製であるが、鋳物製に限定されるものではない。燃焼ポット１２の底は開口されていて、開口１２ａには目皿が取付けられている。この目皿の下に灰受室１３を設けると共に、灰受室１３に挿脱自在な灰受け１３ａを挿入している。
【００３０】
防火床６は中空になっていて内部に空間６ａが形成されている。そして、前記灰受室１３と防火床６内の空間６ａとを連通する連通筒１３ｂを取付ける。また、図では、燃焼室１１の床面積より小型の燃焼ポット１２を燃焼室１１の中央に配置し、燃焼ポット１２が燃焼室１１の内壁と所定の間隔を隔てて配置されている。この燃焼室１１の内壁に燃焼ポット１２の外周が当接する大型の燃焼ポット(図示せず)を取付け、燃焼室１１の壁に開口１０ｂを設けて扉１０ａを取付けることもできる。
【００３１】
上記第１及び第２の搬送手段２，３のコンベア２ｂ，３ｂは、螺旋状のコイルコンベア又はスクリュウコンベアとしているが、ベルトコンベアを始めとしたその他の搬送手段であっても良い。
【００３２】
図では、輻射放熱型燃焼具１０の燃焼中止を確実にするため搬送手段を第１と第２の搬送手段２，３の２体の搬送手段として図示しているが、収納庫１の開口１ｂなどの所望の位置に開閉自在な遮断部材を取付けることにより燃料の搬送を停止することにより搬送手段を１体とすることもできる。
【００３３】
前記輻射放熱型燃焼具１０の上部には、ダクト状の燃焼ガス放出手段８が接続され、この燃焼ガス放出手段８は、第２の搬送手段３の下部で防火壁７を貫通し、中間に排風ファン９を挿入して端部８ａが壁Ｗを貫通して建物の外に突出している。燃焼ガス放出手段８の端部８ａは、外側に外気供給手段５の端部５ａがあり、二重構造となっている。外気供給手段５の端部５ａは、収納庫１の下端を通過する端部５ｂにつながり、端部５ｂは防火床６の内部の空間６ａと連通している。
【００３４】
すなわち、排風ファン９が輻射放熱型燃焼具１０内の燃焼ガスを強制排気すると、輻射放熱型燃焼具１０内が負圧になり、外気供給手段５は外気を吸い込む。外気供給手段５から取り込まれた空気は、端部５ａ、端部５ｂ、空間６ａを経て燃焼ポット１２に燃焼用に必要な空気として供給される。
【００３５】
この外気供給手段５は、筒体で形成され、図示しない空気吸入器としての吸入ファンを任意の位置に取付けることもできる。輻射放熱型燃焼具１０の燃焼室１１には、開閉自在な扉つき１０ａ、開口１０ｂが形成してあることが望ましい。
【００３６】
防火床６は、前記輻射放熱型燃焼具１０を載せるためのものである。防火床６や防火壁７は、タイルや煉瓦などの不燃材、あるいは難燃材から作られる。また、防火壁７の内部も空間７ａが形成されており、防火床６と防火壁７の内部の空間６ａ、７ａは連通している（図５参照）。これらの防火床６と防火壁７は、別体として形成され、現地に設置する際に組立てたり、あるいは設置位置を移動したいときには容易に取り外し、別の場所で再度組立てることができる（詳細は、図５により後述する）。また、これらの防火床６と防火壁７の内部の空間６ａ、７ａの任意の位置に前記外気供給手段５の端部５ｂを取付け、防火床６の所定の位置が、前記輻射放熱型燃焼具１０の燃焼室１１と連結され、屋外の空気が、外気供給手段５から防火床６（防火壁７あるいは防火床６と防火壁７）の内部の空間に送られ、これらの空間６ａ、７ａを通って輻射放熱型燃焼具１０の燃焼室１１に送り込まれるようになっている。
【００３７】
図１では、燃焼ガス放出手段８が防火壁７の下部を貫通しているが、燃焼ガス放出手段８を防火壁７の上方や側部など任意の位置を通して燃焼ガス放出手段８の端部８ａを外気供給手段５の端部５ａ内に配置したり、通常の燃焼具の煙突のように直節外壁や屋根を貫通させても良い。ただし、この時は、燃焼ガス放出手段８と外壁や屋根との間にメガネ石を介在させる必要がある（図示せず）。
【００３８】
以上のような構成の燃焼具とすることにより薪や木製チップとペレットのいずれでも燃料として使用できる兼用の燃焼具となる。
【００３９】
図１では、収納庫１を建造物の壁Ｗと防火壁７の間に挟み、かつ、この防火壁７を収納庫１と輻射放熱型燃焼具１０の間に挟んだ状態で図示した。すなわち、図では、輻射放熱型燃焼具１０の左側に収納庫１を配置して説明したが、この収納庫１の位置は任意である。
【００４０】
図２は、輻射放熱型燃焼具１０の右側に収納庫１を配置した実施例である。図１と同一の構成については、同一の符号を付している。この他、図示しないが、収納庫１内の燃料を搬送手段３により輻射放熱型燃焼具１０の燃焼室１１へ搬送できる位置であれば、如何なる位置に収納庫１を配置しても良い。
【００４１】
図２では、輻射放熱型燃焼具１０の両側に防火壁７と７ｃとを配置している。防火壁７ｃも中空構造で、内部に空間７ｄを有する。収納庫１と輻射放熱型燃焼具１０の間が広い場合はこの防火壁７ｃをなくすこともできる。なお、図２は、概念図であり、以下、収納庫１の配置位置が異なるだけで、それぞれの構成も作用効果も図１に示したものと同様であり、重複する詳細な説明は省略した。
【００４２】
上記構成の燃料供給装置付の輻射放熱型燃焼具１０の設置手順は、以下の通りである。
１）建造物の内部の壁Ｗ際や床Ｆを防火壁や防火床に改築することなく、建造物の内部に防火壁７と防火床６を載置する。
２）建造物の壁Ｗに孔を穿け、この孔に筒状の外気供給手段５の端部５ａを貫通させ、この外気共通手段５を上記防火床６内部の空間６ａと連結する。
３）用意した筒状の排風ファン９付き燃焼ガス放出手段８の端部８ａを外気共通手段５の端部５ａ内に取付ける。
４）建造物の壁Ｗと前記防火壁７の間に下方が台１ａであり、上方に底部が開口１ｂした収納庫１を取付け、収納庫１の開口１ｂ下に駆動手段２ｃ，３ｃで作動する搬送手段２，３を取付ける。この搬送手段２，３は、第１と第２の搬送手段２，３からなり、先ず第１の搬送手段２を収納庫１の開口１ｂ下に取付けて駆動手段２ｃを電源に接続する。続いて、第１の搬送手段２の搬出口の下に第２の搬送手段３を取付け、第１と第２の搬送手段２，３の筒体２ａ、３ａを筒状の連結体４により連結し、第２の搬送手段３の駆動手段３ｃを電源に接続する。
５）前記防火床６上に輻射放熱型燃焼具１０を載置し、防火床６の空間６ａと輻射放熱型燃焼具１０内の燃焼室１１を連通させる。燃焼室１１の所定の位置に開口している(開口させた)孔に前記第２の搬送手段３の先端部を挿入してこの先端部が燃焼室１１内の燃焼ポット１２上に来るように配置する。
６）燃焼ガス放出手段８を輻射放熱型燃焼具１０内の燃焼室１１と連通させる。
【００４３】
以上のようにして輻射放熱型燃焼具１０が設置されたら、収納庫１内に前記植物由来の燃料を投入する。続いて、輻射放熱型燃焼具１０内の燃焼室１１内の燃焼ポット１２に若干の燃料を投入し、種火を起した後、搬送手段(第１と第２の搬送手段)２，３の駆動手段２ｃ，３ｃの電源をОＮにすると、収納庫１内の燃料が開口から落下して第１の搬送手段２に投入され、第１の搬送手段２のコンベア２ｂによって第２の搬送手段３へ搬送され、第２の搬送手段３のコンベア３ｂによって燃焼室１１内の燃焼ポット１２上に搬送される。
【００４４】
燃焼ポット１２上に搬送された前記燃料は火種によって着火され、第１と第２の搬送手段２，３によって収納庫１から順次搬送される燃料がある限り何時間でも燃焼し続ける。燃焼を中断するときは、第１の搬送手段２の駆動手段２ｃの電源を先にОＦＦにした後、第２の搬送手段３の駆動手段３ｃの電源をОＦＦにすると、第２の搬送手段３内の燃料が完全に空になり、燃焼ポット１２上に火種が残っていても収納庫１内の燃料に燃え移ることがなく安全である。
【００４５】
以下、本発明の構成ごとの効果を詳細に記載する。本発明の第１実施例には、建造物の床Ｆ上に設置し、薪ストーブやペレットストーブのような輻射放熱型燃焼具１０を載置する防火床６と、該防火床６の所望の位置に立設された防火壁７とが、不燃材あるいは難燃材でつくられている。この防火床６と防火壁７は、不燃材あるいは難燃材でつくられ内部に連通する空間６ａ，７ａを備えているので高度な耐熱性と十分な防火性能を備えることができる。この防火床６と防火壁７はほぼＬ型に接続されるので、境目も防火能力を保持することができる。この防火壁・防火床装置を建造物内の壁Ｗ際に置くだけで高額な改造費と改築期間を要する床Ｆや壁Ｗの改築をせずに防火性能を備えることができ、安心して熱効率の高い輻射放熱型燃焼具１０を使用できる。この結果、この防火壁・防火床装置と任意の輻射放熱型燃焼具とを組合わせて使用することもできる。しかも、この防火壁・防火床装置は、十分な耐火性を備えているので、例え脚のない輻射放熱型燃焼具であっても安心して載置できる。
【００４６】
上記防火壁・防火床装置は、前記輻射放熱型燃焼具１０の内部に形成された燃焼室１１に連結される外気供給手段５を有するから、前記効果に加えて、輻射放熱型燃焼具１０の内部に外気を確実に供給でき、不完全燃焼の心配がない。この防火壁・防火床装置は、前記外気供給手段５が、防火床６あるいは防火壁７の内部の空間６ａ、７ａに連通され、外気供給手段５から供給される吸気が、防火床６あるいは／及び防火壁７の空間６ａ、７ａを通って輻射放熱型燃焼具１０内部の燃焼室１１に供給される。したがって、暖房され温められた屋内の空気により温められた防火壁７・防火床６内の空間６ａ、７ａにより外気供給手段５から供給された外気が暖められて輻射放熱型燃焼具１０内に供給されるから、高い燃焼温度が得られる。
【００４７】
さらに、この防火壁・防火床装置は、前記輻射放熱型燃焼具１０の内部の燃焼室１１に連結され、燃焼室１１内で燃焼した燃料から発生した燃焼ガスを屋外に放出し、先端部が建造物の外部に突出している燃焼ガス放出手段８を有している。したがって、燃焼ガス放出手段８を屋内に張巡らせることにより燃焼ガス放出手段８から放出される輻射熱を一層効果的に活用して屋内の温度を効率よく暖めることができる。また、燃焼ガス放出手段８の端部８ａが、建造物の壁Ｗを貫通させた外気供給手段５の端部５ａである外気吸入口内に配置され、高温の燃焼ガスが外周を低温の外気に包囲され、低温の外気が高温の燃焼ガスと壁Ｗとの緩衝材の役割を担っている。従来の二重管からなる煙突は、単に低温の外気で高温の燃焼ガスを包んでいるだけであったが、本発明の二重管は、室内に放熱しあるいは防火壁７内の空間７ａで放熱した上で外気供給手段５の端部５ａの外気吸入口内に配置されている。この結果、外部に放出される燃焼ガスの温度は、従来の煙突の二重管の場合より低温になっているから、メガネ石を使わなくとも安全度が高い。
【００４８】
上記燃焼ガス放出手段の任意の位置に排風ファン９を取付けた時は、輻射放熱型燃焼具１０の燃焼室１１が常時に減圧されていることになるので、外気供給手段５から自動的かつ強制的に外気が供給されることとなり、燃料の燃焼効率が高まり、高い暖房効果が得られる。前記構成の燃料供給装置は、輻射放熱型燃焼具１０と収納庫１とが別体となっているから、燃焼効率が向上して高温を発生しても、安全である。
【００４９】
前記構成の燃料供給装置は、前記輻射放熱型燃焼具１０で燃焼される植物由来の小塊や粉粒体からなる燃料を収納し、底面に傾斜壁１ｃを有し、底部が開口１ｂした収納庫１と、該収納庫１の開口１ｂ下に取付けられ、収納庫１の開口１ｂから落下する燃料を受入れ、輻射放熱型燃焼具１０内の燃焼部１１に搬送し、駆動手段２c、３ｃにより作動する第１と第２の搬送手段２，３と、を備えている。以上の構成の燃料供給装置は、収納庫１内に収納した植物由来の小塊あるいは粉粒体からなる燃料を第１と第２の搬送手段２，３により輻射放熱型燃焼具１０内の燃焼室１１に自動供給するものであり、収納庫１と輻射放熱型燃焼具１０とが別体として造られている。したがって、燃焼効率の向上により例え輻射放熱型燃焼具１０が高温になっても収納庫１内の燃料が燃える怖れがなく、安全である。したがって、燃料を収納する収納庫１と輻射放熱型燃焼具１０が、別体として設置され、両者間には所定の間隔が取られるので熱効率の高い高性能の輻射放熱型燃焼具１０を安心して設置できる。また、前記防火壁７を収納庫１と輻射放熱型燃焼具１０の間に設置すれば、収納庫１と輻射放熱型燃焼具１０間の距離を近づけても安全であり、狭い屋内であってもコンパクトに配置することができる。
【００５０】
上記構成の燃料供給装置は、前記第１と第２の搬送手段２，３が、該収納庫１の開口１ｂ下に取付けられ、収納庫１の開口１ｂから落下する燃料を受入れ所定方向に搬送し、駆動手段２ｃにより作動する第１の搬送手段２と、該第１の搬送手段２から搬出された燃料を受入れ、前記輻射放熱型燃焼具１０内部の燃焼室１１に搬送し、駆動手段３ｃにより作動する第２の搬送手段３と、からなる。この燃料供給装置は、前記搬送手段が、第１と第２の搬送手段２，３となっているから、輻射放熱型燃焼具１０の燃焼を停止させる際、第１の搬送手段２の駆動手段２ｃを先に停止し、第２の搬送手段３内の燃料を完全に輻射放熱型燃焼具１０内部の燃焼室１１に搬送した後、第２の搬送手段３の駆動手段３ｃを停止させると、収納庫１と燃焼部１１の間に燃料が完全に途切れる。この結果、燃焼室１１内に火種が残っていたとしても、収納庫１内の燃料に燃え移ることがないから大変安全である。また、この燃料供給装置は、前記第１及び第２の搬送手段２，３をコイルコンベアーあるいはスクリューコンベアとしたものであり、作用効果は、上記燃料供給装置と同様である。
【００５１】
図３に示す燃料供給装置は、上記構成の燃料供給装置付燃焼装置から輻射放熱型燃焼具１０と燃焼ガス放出手段８を取り除いた状態を示す概念図である。このような構成の防火床６と防火壁７を有する燃料供給装置の第２の搬送手段３の先端を他のペレットストーブや薪ストーブに取付けることもできる。そのため、既存のペレットストーブや薪ストーブの所望の位置に孔を穿設し、この孔に上記第２の搬送手段３の先端を取付ければ、燃料供給装置として製造販売でき、あるいは他社の任意に燃焼具と組合わせて使用、販売できる。
【００５２】
図４の概念図に示したように、燃焼ガス放出手段８の中間部を前記防火壁７と同じ構造の防火壁１４内の空間１４ａを通した上で外気供給手段５の端部５ａ内に通して建造物の壁Ｗ外に出すことができる。以上の構成の防火壁・防火床装置は、前記燃焼ガス放出手窒Wの中間部８ｂが、前記防火壁１４内の空間１４ａ内を経由し、燃焼ガス放出手段８の端部８ａが、前記外気供給手段５の端部５ａ内を通っている。したがって、燃焼ガス放出手段８の中間部８ｂが防火壁１４内の空間１４ａ内を通る過程で燃焼ガス放出手段８内の高温の燃焼ガスにより防火壁１４内の空気が温められ、さらに、防火床２１内の空気も温められ、これらの暖められた防火壁・防火床装置内の空気により外気供給手段５から供給される吸気が、暖められて輻射放熱型燃焼具１０の内部の燃焼室１１に供給される。この結果、輻射放熱型燃焼具１０の内部の燃焼室１１の燃焼温度が高まるという好循環が得られる。
【００５３】
図５の組立縦断面図に示すように、本発明の防火壁・防火床装置は、輸送・保管コスト低減のため防火床２１と防火壁３１とを別体で作ることができる。防火床２１は、煉瓦やタイルなどの不燃材あるいは難燃材でつくられ、内部が空間２２である。この防火床２１の一端には、外気供給手段５を連結する開口２３が穿設されている(外気供給手段５を連結できればどの位置でも良く、外気供給手段５を防火壁３１の所望の位置と連結することもできる)。この防火床２１上に載置する輻射放熱型燃焼具１０の燃焼室１１と防火床２１の空間２２を連結する連通筒１３ｂを連結するための連結口２４を防火床２１上に開口する。防火床２１の一端近傍に前記防火壁３１を立設するための立設口２５を開口する。この立設口２５に立設する防火壁３１は、不燃あるいは難燃材でつくられ、内部が空間３２である。この防火壁３１は、下端に開口３３を有し、前記防火壁３１の立設口２５と連結できるようになっている。この防火床２１に防火壁３１を立設したとき、防火床２１内部の空間２２と防火壁３１内部の空間３２とを連通できれば、如何なる方法で防火床２１の端部近傍に防火壁３１を立設しても良く、防火床２１の立設口２５と防火壁３１の開口３３の穿設位置は任意である。また、前記燃焼ガス放出手段８の中間部８ｂを防火壁３１の内部の空間３２内を通すときは、防火壁３１の上方部と下方部に開口を穿設して前記燃焼ガス放出手段８の中間部８ｂを通せばよい。なお、作用効果については、図１の説明と同等なので省略した。
【００５４】
尚、本発明の防火壁・防火床装置、燃料供給装置、および、燃料供給装置付燃焼装置は、上記した実施の形態に限定されるものではなく、本発明の要旨を逸脱しない範囲内において種々変更を加え得ることは勿論である。
【産業上の利用可能性】
【００５５】
本発明の防火壁・防火床装置、燃料供給装置、および、燃料供給装置付燃焼装置は、建造物内の暖房用として実施できる。
【図面の簡単な説明】
【００５６】
【図１】本発明の燃料供給装置付燃焼装置を建造物の壁際の床上に設置した状態を示す概念図である。
【図２】本発明の燃料供給装置付燃焼装置の収納庫の位置を変更した状態を示す概念図である。
【図３】図１の概念図から前記燃焼ガス放出手段と燃焼具を破線で表示した概念図である。
【図４】前記燃焼ガス放出手段の中間部を防火壁の空間内を通した状態を示す概念図である。
【図５】本発明の防火壁・防火床装置を示す組立縦断面図である。
【符号の説明】
【００５７】
Ｗ          建造物の壁
Ｆ          建造物の床
１          収納庫
１ａ        台
１ｂ        収納庫の開口
１ｃ        収納庫の傾斜壁
２          第１の搬送手段
２ａ        第１の搬送手段の筒体
２ｂ        第１の搬送手段のコンベア
２ｃ        第１の搬送手段のコンベアを作動させる動力（駆動手段）
３          第２の搬送手段
３ａ        第２の搬送手段の筒体
３ｂ        第２の搬送手段のコンベア
３ｃ        第２の搬送手段のコンベアを作動させる動力（駆動手段）
４          第１と第２の筒体を連結する筒状の連結体
５          外気供給手段
５ａ        外気供給手段の端部
５ｂ        外気供給手段の他端部
６          防火床  
６ａ        防火床内部の空間
７          防火壁
７ａ        防火壁内部の空間
８          燃焼ガス放出手段
８ａ        燃焼ガス放出手段の端部
９          排風ファン
１０          輻射放熱型燃焼具
１０ａ        開閉自在な扉
１０ｂ        開口
１１          燃焼室
１２          燃焼ポット
１２ａ        燃焼ポットの開口（灰受室への入口）
１３          灰受室
１３ａ        灰受室に挿脱自在な灰受け
１３ｂ        灰受室と防火床内の空間とを連通する連通筒
１４          防火壁
１４ａ        防火壁内の空間
２１          防火床
２２          防火床内部の空間
２３          外気供給手段を連結する開口
２５          防火床の立設口
３１          防火壁
３２          防火壁内部が空間
３３          防火壁の開口
【図１】
2008224075.tif 000003
【図２】
2008224075.tif 000004
【図３】
2008224075.tif 000005
【図４】
2008224075.tif 000006
【図５】
2008224075.tif 000007